(57)【特許請求の範囲】
【請求項１】
器具本体をこの器具本体の上面に取付けられた支持脚体を介して上部に係止突部を有する一対の支持バ−上に係止する照明器具において、
前記支持脚体は、支持脚体主部とこの主部の幅方向両端からそれぞれ下方に折り曲げられた支持脚体側部とから断面略Ｕ字形をなし、前記器具本体の幅方向両端にそれぞれ支持バ−上に載置される載置部を前記支持脚体側部の下端に形成するとともに、前記支持脚体主部の幅方向の端から前記支持脚体側部に渡る貫通孔を設け、
前記支持脚体には、断面略Ｕ字形をなし、両端に一方が外側から一方の前記支持バーの係止突部に係止し、他方が内側から他方の前記支持バーの係止突部に係止する係止片を有する係止部材が幅方向にスライド可能に一体的に取付けられ、
前記係止部材の係止片と前記支持バ−の係止突部との係止を解除する方向または係止する方向に前記係止部材を前記支持脚体に対して移動させ、それぞれの位置で前記係止部材と前記支持脚体とを固定する固定部材を設けたことを特徴とする照明器具。
【請求項２】
前記照明器具本体の背面部に、前記支持脚体を取付けるスリット状の取付孔を長手方向に設けるとともに、この取付孔に直交して前記係止部材の係止片がそれぞれ前記支持バーに引掛からない位置まで前記係止部材を幅方向に移動させるスライド孔を複数開口したことを特徴とする請求項１に記載の照明器具。
【発明の詳細な説明】
【０００１】
【産業上の利用分野】
本発明は、例えばシステム天井用照明器具等の天井埋込形の照明器具に関する。
【０００２】
【従来の技術】
従来技術を図１０ないし図１３を参考にして説明する。
【０００３】
図１０において、２は下面開口した断面略台形の器具本体で、この器具本体２の背面部２ａには電源線（Ｆケ−ブル）１２を通す略四角形の電源線通孔１１を設け、この電源線通孔１１の両側に対向してねじ孔１４をそれぞれ設ける。１３は端子台１６を取付ける断面略コ字形をした端子台取付片１３ａとこの両端から外方にそれぞれ略直角に折曲げた取付片１３ｂとからなる端子台取付金具で、この端子台取付金具１３の取付片１３ｂに、それぞれ器具本体背面部２ａのねじ孔１４と対向してそれぞれ取付孔１３ｃを設け、この取付孔１３ｃにそれぞれねじ１５を挿通してねじ孔１４に螺着し、端子台取付金具１３を器具本体背面部２ａに取付ける。
【０００４】
電源線１２等が接続される端子台１６は端子台取付片１３ａにねじ（図示せず）で取付けられている。この端子台１６の上面１６ａには、一対の電源線挿入穴１７ａと他の一対の電源線挿入穴１７ｂと一対のア−ス線挿入穴１８とがそれぞれ垂直に設けられ、これらの穴１７ａ，１７ｂ，１８は電源線通孔１１に対向して開口している。さらに、端子台１６の一方の側面１６ｂには、一対の負荷線（器具内配線）挿入穴１９ａと他の一対の負荷線（器具内配線）挿入穴１９ｂとがそれぞれ水平に設けられるとともに側面に開口している。
【０００５】
図１１において、２１は略Ｉ字形をした支持バ−で、この支持バ−２１は支持バ−主部２１ａの上下に上側張出し部２２と下側張出し部２３とを設け、天井２４の裏面側に対向して取り付けられている。この支持バ−２１間には開口部２４ａが設けられている。
【０００６】
２６は一対の支持バ−２１の上側張出し部２２に跨いで取付けられる支持脚体で、この支持脚体２６は断面略コ字形をした支持脚体主部２７とこの主部２７の両端にそれぞれ載置部２８を設ける。この載置部２８は、図１２に示すように主部２７端部の一方側から連続して設けた略長方形の載置片（内）２８ｂと主部２７端部の中央部に外方に略Ｌ字形をした載置片（外）２８ａとからなる。さらに、主部２７端部の他方側に孔３２ｂを設けるとともに、略長方形で上端に孔３２ａを設けたばね材からなる押えばね主部３０ａとこの主部３０ａの下端に上方に開口した断面略Ｕ字形をした引掛片３０ｂを外方に形成した押えばね３０をリベット３１を押えばねの孔３２ａおよび支持脚体の孔３２ｂに挿入して引掛片３０ｂが外側に取付けられるように支持脚体２６の両側にカシメて固定する。
【０００７】
２は端子台１６を取付けた端子台取付金具１３が取付けられる器具本体で、この器具本体背面部２ａの内面長手方向の両端には、それぞれ対向してソケット取付台３が取付けられ、この取付台３の下面には直管形蛍光ランプ（図示せず）が取付けられるランプソケット７をそれぞれ対向して取付ける。さらに、器具本体背面部２ａの内面長手方向の中間には、支持板６が対向してそれぞれ取付けられ、この支持板６の下面にはそれぞれ略Ｉ字形をしたつまみ部５ａが設けられた取付ねじ５が回転可能に取付けられている。
【０００８】
図１１において、４は器具本体２の内面に取付けられた支持板６の下面に当接するように断面略コ字形をした反射板で、この反射板４には取付ねじ５のつまみ部５ａが挿入可能な略Ｉ字形の挿入孔（図示せず）を幅方向にそれぞれ形成されている。
【０００９】
照明器具の取付け，取外し手順について説明する。
【００１０】
最初に、端子台１６，ランプソケット７，取付ねじ５等を取付けた器具本体２，反射板４、支持脚体２６を天井２４裏に搬入する。次ぎに、器具本体２の幅方向両端を支持バ−２１の下側張出し部２３の上に載置する。さらに、支持脚体２６の両端にそれぞれ設けた載置部２８を支持バ−２１の上側張出し部２２に乗せると支持脚体２６の押えばね３０の引掛片３０ｂが内側方向に曲り（図１３参照）、支持脚体２６が支持バ−２１上に載置される。次ぎに、室内から取付ねじ８で器具本体２を支持脚体２６に固定する。最後に、器具本体２に取付けた取付ねじ５のつまみ部５ａを幅方向にそれぞれ回動させ、このつまみ部５ａを反射板４の挿入孔（図示せず）にそれぞれ挿通させたのち、取付ねじ５を締付けて、器具本体２の内側に反射板４を取付ける。
【００１１】
照明器具を天井２４裏から取外すには、最初に、取付ねじ５のつまみ部５ａをそれぞれ長手方向に回転させ、反射板４を器具本体２から取外す。次ぎに、取付ねじ８をそれぞれ支持脚体２６から取外す。さらに、器具本体２を斜め上方に傾けて、天井２４の開口部２４ａから取外す。最後に、支持脚体２６の両端にそれぞれ設けた押えばね３０をそれぞれ図１３に示すように内側方向に折曲げつつ、支持脚体２６を上方に移動させ、支持バ−２１から支持脚体２６をそれぞれ取外す。
【００１２】
【発明が解決しようとする課題】
上記のように従来の照明器具の取付けは、施工現場で、別々に包装された梱包を開き、高い位置にある天井２４裏に支持脚体２６等の部品を搬入したのち、従来技術の欄に記載した手順で組み立てる。このため、梱包を開梱する時間が多くかかるとともに、部品毎に高い位置にある天井２４裏に搬入するため、多数の照明器具を施工する場合には、特に、疲労が蓄積し、作業に手間がかかる。さらに、薄暗く狭い天井２４裏で、器具本体２、支持脚体２６を支持バ−２１に取付けたのち、室内側から複数個の取付ねじ８で器具本体２を支持脚体２６取り付けるとともに、反射板４を取付ねじ５で取付ける。照明器具の取付けは、薄暗く狭い天井２４裏と室内側からの取付作業を必要とし、取付時間を多く必要とするとともに、作業に手間がかかり多数の照明器具を施工する場合には特に疲労が蓄積し、安全性に問題が生ずる場合がある。
【００１３】
また、照明器具の取外しは、取付ねじ８を支持脚体２６から取外し、器具本体２と支持脚体２６を分離しなければ、器具本体２を支持バ−２１より取外すことはできない。さらに、支持脚体２６を支持バ−２１より取外すとき、支持脚体２６の両端にそれぞれ取付けた押えばね３０をそれぞれ内側に折曲げながら支持脚体２６を上方に移動させなければ支持脚体２６を支持バ−２１から取外すことができない。このため、支持脚体２６の取外しに手間がかかるとともに押えばね３０を内側に折曲げるため、折曲げ治具等を必要とする等の問題があった。
【００１４】
本発明は上記の点に鑑みてなされたもので、照明器具の取付け、取外しが容易な照明器具を提供することを目的とする。
【００１５】
【課題を解決するための手段】
前記目的を達成するために、本発明の照明器具は、器具本体をこの器具本体の上面に取付けられた支持脚体を介して上部に係止突部を有する一対の支持バ−上に係止する照明器具において、前記支持脚体は、支持脚体主部とこの主部の幅方向両端からそれぞれ下方に折り曲げられた支持脚体側部とから断面略Ｕ字形をなし、前記器具本体の幅方向両端にそれぞれ支持バ−上に載置される載置部を前記支持脚体側部の下端に形成するとともに、前記支持脚体主部の幅方向の端から前記支持脚体側部に渡る貫通孔を設け、前記支持脚体には、断面略Ｕ字形をなし、両端に一方が外側から一方の前記支持バーの係止突部に係止し、他方が内側から他方の前記支持バーの係止突部に係止する係止片を有する係止部材が幅方向にスライド可能に一体的に取付けられ、前記係止部材の係止片と前記支持バ−の係止突部との係止を解除する方向または係止する方向に前記係止部材を前記支持脚体に対して移動させ、それぞれの位置で前記係止部材と前記支持脚体とを固定する固定部材を設けたことを特徴とする。
又、本発明では、前記照明器具本体の背面部に、前記支持脚体を取付けるスリット状の取付孔を長手方向に設けるとともに、この取付孔に直交して前記係止部材の係止片がそれぞれ前記支持バーに引掛からない位置まで前記係止部材を幅方向に移動させるスライド孔を複数開口するとよい。
【００１６】
【作用】
器具本体の背面部に設けられているスリット状の取付孔を介して取付ねじ（Ａ）により器具本体に支持脚体が連結され、この支持脚体に設けられている幅方向のスリット状のスライド孔（Ａ）および器具本体の背面部に設けられている幅方向のスリット状のスライド孔（Ｂ）を介して取付ねじ（Ｂ）により係止部材と支持脚体とが連結している。この係止部材と連結している取付ねじ（Ｂ）を緩めて、支持脚体に設けられているスリット状のスライド孔（Ａ）に沿って係止部材を移動させることにより、係止部材は取付ねじ（Ｂ）とともに移動し、係止部材の両先端部に形成した略Ｖ字状の係止片は、支持バ−上部の上側張出し部を回避することができ、器具本体と支持脚体とを連結させたままで、器具本体を支持バ−から取外すことができる。器具本体を支持バ−に取付ける場合も器具本体と支持脚体とを連結させたままで、取付ねじ（Ｂ）を緩め、係止部材をスライド孔（Ａ）に沿って移動させるだけのみで、簡単に器具本体を支持バ−に取付けできる。
【００１７】
【実施例】
以下、図１ないし図９を参照して本発明の実施例を説明する。なお、従来技術と同一の構成は同一番号を付して説明する。
【００１８】
図８は本発明の電源線挿通孔に取付ける端子台カバ−の状態を示す斜視図である。従来技術の器具本体２は、図１０に示すように、端子台上面１６ａに対向して電源線挿通孔１１が開口しているため、天井裏の粉塵が電源線挿通孔１１を介して電源線挿入穴等を設けた端子台上面１６ａに直接かかり易い。このため、長期間に渡る使用において、電源線挿入穴，ア−ス挿入穴，負荷線挿入穴に挿入された電源線との間に粉塵が侵入する。この侵入粉塵が端子台の電気導通部の抵抗となり、電気導通部の抵抗を増加させる。この結果、電源線と導通部で発生する熱が高くなり、最悪の場合、端子台１６が焼損する恐れがあった。
【００１９】
そこで、端子台上面１６ａに粉塵が直接かからないように、図８（Ａ）に示す端子台カバ−４０を器具本体２の電源線挿通孔１１に取付ける。断面略コ字形をした端子台カバ−４０は、上面に略長方形をした端子台カバ−主部４０ａとこの主部４０ａの両端後部から下方にそれぞれ対向して略直角に折曲げ、先端に外側方向に折曲げた係止爪４１ａを有する略Ｌ字形の係止部４１をそれぞれ形成する。さらに、主部４０ａの両端前部から下方にそれぞれ対向して略直角に折曲げて係合部４２を形成し、この係合部４２の前端下角隅部に前方に突出した係合爪４２ａをそれぞれ形成する。さらに、係止部４１の係止爪４１ａが内方に変形可能なように係止部４１と係合部４２との間に隙間４４を形成する。
【００２０】
つぎに、端子台カバ−４０と電源線挿通孔１１等の寸法関係を示す。電源線挿通孔１１の長手方向Ｂ，幅Ｄは端子台カバ−４０のカバ−主部４０ａの長手方向Ａ，幅Ｃより少し小さく、端子台カバ−４０の高さ方向Ｙは端子台取付金具１３の高さＺより少し小さく形成している。
【００２１】
端子台カバ−４０等の器具本体２への取付手順について図８，図９を参照して説明する。
【００２２】
最初に、端子台１６を取付けた端子台取付金具１３をねじ１５により器具本体２に螺着する。次ぎに、電源線１２の先端を略Ｌ字形に折曲げ、電源線挿通孔１１を介して、電源線１２の一対のリ−ド線を端子台１６の一対の電源線挿入穴１７にそれぞれ差込み電気導通部に接続する。最後に、端子台取付金具１３の立上り片１３ａの内面と端子台１６との間にそれぞれ形成した隙間４５に端子台カバ−４０の係合爪４２ａをそれぞれ挿入しつつ、端子台カバ−４０に対向してそれぞれ設けた係止爪４１ａを内方に変形させて、端子台カバ−４０を電源線挿通孔１１に装着する。係合爪４２ａは端子台取付金具１３の底面１６ｃと器具本体背面部２ａの内面との間に係合するとともに、端子台カバ−４０の係合部４２の下端突当部４３が端子台取付金具１３の底面１６ｃに載置される。さらに、係止爪４１ａは、器具本体背面部２ａに係止され、端子台カバ−４０が電源線挿通孔１１から外れないように構成されている。なお、端子台カバ−４０の開口部の高さ（Ｘ−Ｙ）は、図９（Ｃ）に示すように、電源線１２が端子台１６に装着できる高さとなっている。
【００２３】
端子台１６の上面を覆う端子台カバ−４０を電源線挿通孔１１に着脱可能に設けたので、天井裏の粉塵が端子台の上面に直接ふりかかることが少なくなり、落下する粉塵による悪影響が少なくできる。
【００２４】
図３は本発明に係る係止部材および支持脚体を示す斜視図で、５０は支持バ−２１上に跨いで載置される支持脚体５５を支持バ−２１に係止する係止部材で、係止部材５０は上部に略長方形をした係止部材主部５０ａと幅方向の両端からそれぞれ下方に略直角に形成し、下端にそれぞれ上方に開口し略Ｖ字形の係止片５１を有する立下り片５０ｂとからなる。さらに、係止部材主部５０ａの中央には雌ねじを形成したねじ孔（Ａ）５２を設ける。
【００２５】
５５は支持バ−２１上に跨いで載置される支持脚体で、この支持脚体５５は上部に略長方形をした支持脚体主部５６と幅方向の両端からそれぞれ下方に略直角に形成し、下端外面にそれぞれ相反方向に載置部５８をそれぞれ有する支持脚体側部５７とからなる。さらに、支持脚体５５の支持脚体主部５６および支持脚体側部５７の長手方向両端に、それぞれ上方に略直角に形成した補強リブ６１を形成する。
【００２６】
さらに、支持脚体５５の支持脚体主部５６の幅方向の両端から支持脚体側部５７に渡り、一方の補強リブ６１ａの根元部まで略長方形に開口し、係止部材５０の立下り片５０ｂが挿入可能な貫通孔５９を設ける。また、支持脚体主部５６の貫通孔５９縁部には、一方の補強リブ６１ａと対向してガイド片５６ａを切起してそれぞれ形成し、貫通孔５９と挟まれた支持脚体主部５６の略中央の幅方向にスリット状のスライド孔（Ａ）６２ａを開口して形成する。このスライド孔（Ａ）６２ａの幅は、取付ねじ（Ｂ）６５の雄ねじより大きく、頭部６５ａより小さく形成されている。また、貫通孔５９に挟まれていない支持脚体主部５６の幅方向中央に取付ねじ（Ａ）６４を取付ける雌ねじを形成したねじ孔（Ｂ）６３を設ける。
【００２７】
支持脚体側部５７の両端に設けた載置部５８は、他方の補強リブ６１ｂ側の支持脚体側部５７の下端に連続して従来技術と同様な載置片（内）５８ｂと支持脚体側部５７の下端中央に断面Ｌ字形に形成した従来技術と同様な載置片（外）５８ａを形成する。
【００２８】
器具本体背面部２ａの幅方向中央に、支持脚体５５を取付けるスリット状の取付孔６６を長手方向に複数設けるとともに、この取付孔６６に直交してスライド孔（Ｂ）６２ｂを複数個例えば取付孔６６の手前と奥に係止部材５０を移動する方向（実施例の場合は背面部２ａの幅方向中央から左方向）に開口するとともに係止部材５０を移動したとき、係止部材５０の係止片５１がそれぞれ支持バ−２１の上側張出し部２２に引掛らない位置まで移動できる形状となっている。このスライド孔（Ｂ）６２ｂの幅は取付ねじ（Ｂ）６５の頭部６５ａが挿通する形状になっている。
【００２９】
なお、支持脚体にスライド孔（Ａ）６２ａを、係止部材５０にねじ孔（Ａ）５２を設けたが、スライド孔（Ａ）を係止部材に、ねじ孔（Ａ）を支持脚体に設けた構成でもよい。この場合は、取付ねじ（Ｂ）６５の操作は、器具本体の背面部側から操作される。
【００３０】
次に上記実施例の照明器具の取付および取外手順について説明する。
【００３１】
最初に、照明器具の取付手順について説明する。
【００３２】
天井裏に搬入前に、器具本体２に端子台１６，ランプソケット７，反射板４等を取付ける。さらに、図３に示すように、係止部材５０の一方の係止片５１を支持脚体５５の貫通孔５９に挿入するとともに、一方の補強リブ６１ａとガイド片５６ａとの間に係止部材５０を載置し、長い頭部６５ａを有する取付ねじ（Ｂ）６５を支持脚体５５のスライド孔（Ａ）６２ａを介して係止部材５０のねじ孔（Ａ）５２に螺着させて支持脚体組立６９とする。なお、頭部６５ａを長くしたのは、取付ねじ（Ｂ）６５の締付け、緩めの操作を容易にするためである。
【００３３】
次ぎに、この支持脚体組立６９を、図４に示すように器具本体背面部２ａのスライド孔（Ｂ）６２ｂに合わせて載置し、取付ねじ（Ａ）６４を器具本体２のスリット状取付孔６６を介して支持脚体５５のねじ孔（Ｂ）６３に螺着し図２に示す器具本体組立７０とする。
【００３４】
最後に、器具本体組立７０を、図７に示すように９０度回転させて横方向にして天井裏に搬入し、支持バ−２１上に器具本体組立７０の支持脚体５５の載置部５８を載置する。次ぎに、取付ねじ（Ｂ）６５を緩め、係止部材５０をスライド孔（Ｂ）６２ｂに沿って係止部材５０の係止片５１が支持バ−主部２１ａに突き当るまで右側方向に移動させたのち（図１）、取付ねじ（Ｂ）６５を締付けて係止部材５０を支持脚体５５に固定する。なお、器具本体２の取付孔６６にスライド孔（Ｂ）６２ｂを複数個設けたのは、天井裏に配管等の障害物が設置され、支持脚体５５が取付けることができない場合に、この支持脚体５５を障害物のない位置まで移動させるためである。なお、反射板４には、支持脚体５５のスライド孔（Ａ）６２ａおよびねじ孔（Ｂ）６３に対応した位置にスライド孔と丸孔（図示せず）が設けられている。
【００３５】
なお、各種の部品を天井裏に搬入したのち、各種部品を組立てる方法でもよい。
【００３６】
照明器具の取外手順について説明する。
【００３７】
最初に、取付ねじ（Ｂ）６５を緩め、係止部材５０をスライド孔（Ｂ）６２ｂに沿って左方向に係止部材５０の係止片５１が支持バ−２１の上側張出し部２２から外れる位置まで移動させる。次ぎに、器具本体組立７０を上方に移動させたのち（図６）、器具本体組立７０を９０度回転させて横方向にし（図７）、支持バ−２１間に開口した開口部２４ａから器具本体組立７０を搬出する。
【００３８】
照明器具を取付けるときは、支持脚体、係止部材等の部品を連結した器具本体組立のままで、天井裏へ搬入し、単に、支持脚体を固定する取付ねじ（Ａ）および係止部材をスライド移動させる取付ねじ（Ａ）の操作のみで簡単に支持バ−上に組立てができる。
【００３９】
さらに、照明器具を取り外すときは、係止部材をスライド移動させる取付ねじ（Ａ）の操作のみで簡単に支持バ−から器具本体を取り外すことができるとともに係止部材等の部品を連結した器具本体組立のままで、天井裏から簡単に搬出できる。
【００４０】
【発明の効果】
以上詳記したように本発明によれば、複数の支持脚体を器具本体に連結したままで取付ねじ（Ｂ）を緩め、係止部材を支持脚体の幅方向に設けたスライド状のスライド孔（Ａ）に沿って移動させるだけで係止部材の係止片と支持バ−との係止状態が解除または係止状態となり、器具本体を支持バ−上より簡単に取外し、または支持バ−上に簡単に取付けできる。
【図面の簡単な説明】
【図１】本発明の一実施例に係る器具本体を支持バ−上に取付けた状態を示す断面図。
【図２】同実施例における器具本体組立の外観を示す斜視図。
【図３】同実施例における係止部材および支持脚体を示す斜視図。
【図４】同実施例における支持脚体組立および器具本体を示す斜視図。
【図５】同実施例における器具本体を取外す手順を示すもので、係止部材の係止を解除した状態を示す断面図。
【図６】同実施例における器具本体を取外す手順を示すもので、器具本体を上方に移動させた状態を示す断面図。
【図７】同実施例における器具本体を取外す手順を示すもので、器具本体を横向きにし天井裏から下方に移動する前の状態を示す断面図。
【図８】同実施例における端子台を取付ける状態を示すものであり、
（Ａ）は端子台カバ−を示す斜視図。
（Ｂ）は器具本体の一部を示す斜視図。
（Ｃ）は端子台取付金具に端子台を取付けた状態を示す斜視図。
【図９】同実施例における端子台取付金具を器具本体に取付けた状態を示すもので、（Ａ）は側面図。（Ｂ）は上面図。（Ｃ）は前面図。
【図１０】従来技術の端子台取付金具を器具本体に取付ける状態を示す斜視図。
【図１１】従来技術の器具本体を支持バ−上に取付けた状態を示す断面図。
【図１２】従来技術の支持脚体の載置部の一方を示す斜視図。
【図１３】従来技術の器具本体を取外す状態を示す断面図。
【符号の説明】
２…器具本体，２ａ…背面部（器具本体の上面），２１…支持バ−，２２…上側張出し部（係止突部），５０…係止部材，５１…係止片，５５…支持脚体，５６…支持脚体主部，５７…支持脚体側部，５８…載置部，５９…貫通孔，６２ａ…スライド孔（Ａ），６２ｂ…スライド孔（Ｂ），６３…ねじ孔，６４…取付ねじ（Ａ），６５…取付ねじ（Ｂ）（固定部材）。
【図１】
0003843465.tif 000002
【図２】
0003843465.tif 000003
【図３】
0003843465.tif 000004
【図４】
0003843465.tif 000005
【図５】
0003843465.tif 000006
【図６】
0003843465.tif 000007
【図７】
0003843465.tif 000008
【図８】
0003843465.tif 000009
【図９】
0003843465.tif 000010
【図１０】
0003843465.tif 000011
【図１１】
0003843465.tif 000012
【図１２】
0003843465.tif 000013
【図１３】
0003843465.tif 000014